(57)【要約】【課題】袖があっても上に着ているカッターシャツ等を脱がないで脱げるアンダーシャツを提供する。【解決手段】アンダーシャツ１００は、身頃部１１０および左右袖部１２０（左袖１２０Ｌ、右袖１２０Ｒ）から形成され、身頃部１１０を（左側前身頃１１０ＬＦと左側後身頃１１０ＬＢとからなる）左身頃１１０Ｌと（右側前身頃１１０ＲＦと右側後身頃１１０ＲＢとからなる）右身頃１１０Ｒとに（すなわち左右に）接合および分離可能な連結機構１５０（前身頃連結機構１５０Ｆ、後身頃連結機構１５０Ｂ）を備える。身頃部１１０の左身頃１１０Ｌおよび左身頃１１０Ｌに接続された左袖１２０Ｌと、身頃部１１０の右身頃１１０Ｒおよび右身頃１１０Ｒに接続された右袖１２０Ｒとが、連結機構１５０により接合および分離可能に構成されている。【選択図】図１
2019194374.tif 000002
【特許請求の範囲】
【請求項１】
少なくとも身頃部および左右袖部から形成される袖付き衣類であって、
前記身頃部を左右に接合および分離可能な連結機構を、前身頃および後身頃に備え、
前記身頃部の左身頃および前記左身頃に接続された左袖部と、前記身頃部の右身頃および前記右身頃に接続された右袖部とが、前記連結機構により接合および分離可能に構成されていることを特徴とする、脱ぎやすい袖付き衣類。
【請求項２】
前記後身頃の連結機構は、左右対称位置から左右いずれかの方向にずれて設けられていることを特徴とする、請求項１に記載の脱ぎやすい袖付き衣類。
【請求項３】
前記連結機構は、上端から２０ｃｍ以内の範囲で操作することにより最下部まで分離することができる構造を備えることを特徴とする、請求項１または請求項２に記載の脱ぎやすい袖付き衣類。
【請求項４】
前記身頃部の少なくとも一部または前記袖部の少なくとも一部に、汗染みを防止する機能を備えることを特徴とする、請求項１〜請求項３のいずれかに記載の脱ぎやすい袖付き衣類。
【発明の詳細な説明】
【技術分野】
【０００１】
本発明は、少なくとも身頃部および左右袖部から形成される袖付き衣類に関し、特に、袖があっても、上着を脱がないでもまたは腕の曲げ伸ばしを過度に必要としないでも、脱ぎやすい袖付き衣類に関する。ここで、上着を脱がないとは、この衣類が肌着等であって内側（肌側）に着用している場合においてこの衣類よりも外側に着用している衣類を脱がないでもこの袖付き衣類を容易に脱げることを意味する。また、腕の曲げ伸ばしを過度に必要としないでもとは、身体的事情（身体機能の一部に障害を生じていて機能しない等の事情）または狭い空間における着替え等において腕の曲げ伸ばし等が困難な場合でもこの袖付き衣類を容易に脱げることを意味する。このため、本発明に係る脱ぎやすい袖付き衣類は、肌着、介護用衣類、スポーツウェア、ベビー服等多くの用途に使用できる。また、本発明に係る脱ぎやすい袖付き衣類は、男性用にも女性用にも限定されるものではない。
【背景技術】
【０００２】
一般に、身頃部および左右袖部（袖の長さは限定されない）から形成される袖付き衣類（アンダーシャツ等に代表される下着である袖付き衣類にも下着ではないポロシャツ等の袖付き衣類にも限定されない）を着用していて、この袖付き衣類を脱ぐためには、この袖付き衣類よりも外側に着用している衣類（上着）を着ている場合にはその上着を脱がなければならない。また、この袖付き衣類を脱ぐためには、袖部を上腕から抜くために腕を大きく上げたり下げたりしなければならない。
【０００３】
このような問題に鑑みて、
・スポーツ、山登り、歩け歩けなどで、発汗した時等、外出先でも洋服を脱がずに着脱できる、着脱簡単な汗取り肌着が特開２００８−１２１１７２号公報（特許文献１）に、
・腕の曲げ伸ばしが十分にできなくても、または，上着等を着たままでも脱ぎ着が容易となる衣類が特開２０１７−０２０１５０号公報（特許文献２）に、
・上に着た衣類を脱ぐことなく脱ぐことができ、従来の汗とり機能を有する下着と比べると、着用したままで、より長時間にわたり汗とり機能を発揮する汗とり用下着が実用新案登録第３１２３３８６号公報（特許文献３）に、
それぞれ開示されている。
【先行技術文献】
【特許文献】
【０００４】
【特許文献１】特開２００８−１２１１７２号公報
【特許文献２】特開２０１７−０２０１５０号公報
【特許文献３】実用新案登録第３１２３３８６号公報
【発明の概要】
【発明が解決しようとする課題】
【０００５】
しかしながら、これらのいずれの先行技術文献に開示されている衣類は、袖のないベストタイプに過ぎない。
このため、このような袖のないベストタイプの肌着を、たとえば、以下のように通勤時に運動する場合にインナーとして使用すると問題がある。最近のスポーツ庁の官民連携プロジェクト「FUN-WALK」（歩く習慣の定着などスポーツ人口の拡大を通じた健康増進）など、ビジネスマンの通勤時の運動（通勤着のままで出勤時に勤務先の最寄り駅の手前駅から一駅分歩く等の運動）が広がりつつあり、このような出勤時の運動による発汗は、カッターシャツまたはブラウス（以下においてはブラウスを含めてカッターシャツ等と記載する場合がある）への汗染み、不快感、汗臭、汗冷えなど、出社後の業務に支障を及ぼす。
このような場合には、（当然ながら）カッターシャツ等を一旦脱いでから肌着を脱ぐことになるのであるが、勤務先に更衣室がないことも多く、カッターシャツ等を一旦脱いでから肌着を脱ぐという行為が困難であることが多い。
【０００６】
上述したベストタイプの肌着であると、上に着ている（肌側ではなく肌とは反対側の外側に着ている）カッターシャツ等を脱がないでもこの肌着が脱げたとしても、ベストタイプであるために発汗量の多い脇汗をカバーできなかったり、肩部がないために着用時のずり下がりを抑制することができなかったりする。なお、特許文献２に開示された衣類は、これらの問題点に加えて、前身頃のボタン等を外す時に上着の前身頃を開ける必要があり、容易に着脱できるとは言い難い。
【０００７】
また、これらのいずれの先行技術文献に開示されている衣類も袖のないベストタイプであるに過ぎず、このようなスポーツ時の問題点に加えて、身体的事情または狭い空間における着替え等において腕の曲げ伸ばし等が困難な場合に、袖付き衣類を容易に脱ぎたいという問題点を解決していない。
本発明は、従来技術の上述の問題点に鑑みて開発されたものであり、その目的とするところは、少なくとも身頃部および左右袖部から形成される袖付き衣類に関し、袖があっても、上着を脱がないでもまたは腕の曲げ伸ばしを過度に必要としないでも、脱ぎやすい袖付き衣類を提供することである。
【課題を解決するための手段】
【０００８】
上記目的を達成するため、本発明に係る脱ぎやすい袖付き衣類は以下の技術的手段を講じている。
すなわち、本発明に係る脱ぎやすい袖付き衣類は、少なくとも身頃部および左右袖部から形成される袖付き衣類であって、前記身頃部を左右に接合および分離可能な連結機構を、前身頃および後身頃に備え、前記身頃部の左身頃および前記左身頃に接続された左袖部と、前記身頃部の右身頃および前記右身頃に接続された右袖部とが、前記連結機構により接合および分離可能に構成されていることを特徴とする。
【０００９】
好ましくは、前記後身頃の連結機構は、左右対称位置から左右いずれかの方向にずれて設けられているように構成することができる。
さらに好ましくは、前記連結機構は、上端から２０ｃｍ以内の範囲で操作することにより最下部まで分離することができる構造を備えるように構成することができる。
さらに好ましくは、前記身頃部の少なくとも一部または前記袖部の少なくとも一部に、汗染みを防止する機能を備えるように構成することができる。
【発明の効果】
【００１０】
本発明によれば、少なくとも身頃部および左右袖部から形成される袖付き衣類に関し、袖があっても、上着を脱がないでもまたは腕の曲げ伸ばしを過度に必要としないでも、脱ぎやすい袖付き衣類を提供することができる。
【図面の簡単な説明】
【００１１】
【図１】本発明の実施の形態に係るアンダーシャツ１００の（Ａ）前側斜視図、（Ｂ）後側斜視図、（Ｃ）連結機構の作用を説明するための前側斜視図（その１）および（Ｄ）連結機構の作用を説明するための前側斜視図（その２）である。
【図２】本発明の実施の形態の変形例に係るアンダーシャツ２００の（Ａ）前側斜視図、（Ｂ）後側斜視図、（Ｃ）連結機構の作用を説明するための後側斜視図（その１）および（Ｄ）連結機構の作用を説明するための後側斜視図（その２）である。
【発明を実施するための形態】
【００１２】
以下、本発明の実施の形態として、脱ぎやすい袖付き衣類の一例である（長袖のスポーツ用途に好適な）アンダーシャツ１００を、図面に基づき詳しく説明する。なお、本発明に係る袖付き衣類は、（スポーツ用途に好適な）アンダーシャツ（長袖ではなく半袖であっても構わない）に限定されるものではなく、少なくとも身頃部および左右袖部から形成される袖付き衣類であれば構わず、アンダーシャツ等に代表される下着である袖付き衣類であっても、下着ではないポロシャツ等の袖付き衣類であっても構わない。なお、本発明に係る脱ぎやすい袖付き衣類は、このようなアンダーシャツのような肌着、介護用衣類、スポーツウェア、ベビー服等多くの用途に使用できるとともに、男性用にも女性用にも限定されるものではない。
【００１３】
また、このアンダーシャツ１００は、上述したようなビジネスマンの通勤時の運動時のインナーに使用する場合に特に好適であって、肌とカッターシャツ等との間に着用して（ただし、このアンダーシャツ１００を肌に直接着用するものに限定されるものではないし、このアンダーシャツ１００とカッターシャツとの間に別の肌着を着用するものであっても構わない）、勤務先に到着後にカッターシャツ等を脱ぐことなく、このアンダーシャツ１００を脱ぐことができる点で極めて好ましい。
【００１４】
［アンダーシャツの構造］
図１（Ａ）にこのアンダーシャツ１００の前側斜視図を、図１（Ｂ）にその後側斜視図を、図１（Ｃ）および図１（Ｄ）に連結機構の作用を説明するための前側斜視図を。それぞれ示す。これらの図を参照して、このアンダーシャツ１００が備える技術的特徴について説明する。なお、これらの図面に符号を付していないが、前身頃１１０Ｆ、後身頃１１０Ｂ、左身頃１１０Ｌおよび右身頃１１０Ｒとする。また、このアンダーシャツ１００を構成する生地は、たとえば肌着等に広く用いられる伸縮性に優れた編地であることが好ましい。
【００１５】
このアンダーシャツ１００は、少なくとも身頃部１１０（より詳しくは左側前身頃１１０ＬＦと右側前身頃１１０ＲＦとからなる前身頃１１０Ｆ、左側後身頃１１０ＬＢと右側後身頃１１０ＲＢとからなる後身頃１１０Ｂ）および左右袖部１２０（より詳しくは左袖１２０Ｌおよび右袖１２０Ｒであって以下において単に袖部１２０と記載する場合がある）から形成される袖付き衣類の一例あって、特徴的であるのは、身頃部１１０を（左側前身頃１１０ＬＦと左側後身頃１１０ＬＢとからなる）左身頃１１０Ｌと（右側前身頃１１０ＲＦと右側後身頃１１０ＲＢとからなる）右身頃１１０Ｒとに（すなわち左右に）接合および分離可能な連結機構１５０（より詳しくは前身頃連結機構１５０Ｆおよび後身頃連結機構１５０Ｂ）を備える点である。この場合において、身頃部１１０の左身頃１１０Ｌには左袖１２０Ｌが縫合等により連結（接合）されており、身頃部１１０の右身頃１１０Ｒには右袖１２０Ｒが縫合等により連結（接合）されているために、身頃部１１０の左身頃１１０Ｌおよび左身頃１１０Ｌに接続された左袖１２０Ｌと、身頃部１１０の右身頃１１０Ｒおよび右身頃１１０Ｒに接続された右袖１２０Ｒとが、連結機構１５０により接合および分離可能に構成されていることになる。
【００１６】
さらに詳しく、このアンダーシャツ１００について説明する。
図１（Ａ）〜図１（Ｄ）に示すように、このアンダーシャツ１００は、
・前身頃１１０Ｆ（左側前身頃１１０ＬＦおよび右側前身頃１１０ＲＦ）と、
・後身頃１１０Ｂ（左側後身頃１１０ＬＢおよび右側後身頃１１０ＲＢ）と、
・左身頃１１０Ｌ（左側前身頃１１０ＬＦおよび左側後身頃１１０ＬＢ）に接続（縫合等により接合）された左袖１２０Ｌと、
・右身頃１１０Ｒ（右側前身頃１１０ＲＦおよび右側後身頃１１０ＲＢ）に接続（縫合等により接合）された右袖１２０Ｒと、で形成される。なお、図１に示すアンダーシャツ１００は首回りにネック部Ｎを備えるが、このネック部Ｎは本発明に係る袖付き衣類に必須
の構成ではない。
【００１７】
ここで、この連結機構１５０は、特に限定されるものではないが、線ファスナーであったり面ファスナーであったりするが、上端から２０ｃｍ以内の範囲で操作（たとえば強く引っ張る等の操作）することにより最下部まで分離することができる構造を備えることが特に好ましい。このような構造を備えると、カッターシャツ等の襟口から（操作する位置によっては必要に応じてカッターシャツ等の上から２つ目ぐらいまでのボタンを外して）、手でこの連結機構１５０の上端から２０ｃｍ以内の範囲を操作することにより最下部まで分離することできるので、カッターシャツ等を脱がないでも、このアンダーシャツ１００の左身頃１１０Ｌ（および左袖１２０Ｌ）と右身頃１１０Ｒ（および右袖１２０Ｒ）とを分離できることができる。
【００１８】
ここで、線ファスナーとは、線状の何度でも自在に開閉可能な留め具であって線上に並んだ務歯が噛み合うことで両側を固定する公知の留め具であって衣類などに多く用いられる。面ファスナーとは、面的に着脱できるファスナーであって、布に特殊な面加工（フック状に起毛する面加工およびループ状に密集して起毛する面加工）されたフック状に加工された面とループ状に加工された面とを押し付けることだけで貼り付くようになっており、貼り付けたり剥がしたりすることが自在にできる公知の留め具であって衣類などに多く用いられる。特に好ましい構造として記載した、上端から２０ｃｍ以内の範囲で操作することにより最下部まで分離することができる構造の一例としては、線ファスナーであれば、たとえば特許第５３００９７２号公報に開示されたクイックオープン式スライドファスナーが挙げられる。
【００１９】
次に、このアンダーシャツ１００を構成する生地について説明する。上述したように、このアンダーシャツ１００を構成する生地は、大略的には肌着等に広く用いられる伸縮性に優れた編地であることが好ましい。そして、この編地の表面および裏面には、表裏別々で機能付加が可能な場合には、表面（肌側ではない外側とする）に撥水機能を付加し、裏面（肌側である内側とする）に吸水機能を付加することが好ましい。表裏別々で機能付加が困難な場合には、表面および裏面ともに撥水機能を付加することが好ましい。編地の表裏別々に撥水機能または吸水機能を付加する方法としては、特に限定されるものではないが、撥水剤または吸水剤をコーティング等により編地の片面に塗布する方法や、撥水性のある糸と撥水性のない糸でリバーシブルニットを構成する方法などが挙げられる。
【００２０】
さらに、このように表面および裏面の少なくとも一面に撥水機能を付加した場合には、身頃部１１０の少なくとも一部または袖部１２０の少なくとも一部に、汗染みを防止する機能を備えることが特に好ましい。このような汗染みを防止する機能の一例として、身頃部１１０の下方に保水性に優れた生地で保水層１１２を設けたり袖部１２０の袖口側に保水性に優れた生地で保水層を設けたりすることが挙げられる。このように構成すると、撥水機能によりはじかれて重力により下方に伝わった汗の水分を保水層で保持することができるので、カッターシャツ等への汗染みを防止することができる。なお、ビジネスマンの通勤時の運動として、通勤着のままで出勤時に勤務先の最寄り駅の手前駅から一駅分歩く等の運動を想定しているために（手を上方に持続的に上げておく運動を想定してないために腕に発生した汗は腕から手へ向けて伝わるので）、袖部１２０の袖口側に保水性に優れた生地で保水層を設けている。いずれにしても、汗染みを防止する機能を発現させる保水層の位置は限定されるものではなく、カッターシャツ等への汗染みを防止することできる位置であれば構わない。
【００２１】
［アンダーシャツの使用方法］
図１（Ａ）、図１（Ｂ）および図１（Ｃ）に示すように、左身頃１１０Ｌ（および左袖１２０Ｌ）と右身頃１１０Ｒ（および右袖１２０Ｒ）とが分離していない（接合されてい
る）アンダーシャツ１００を肌側に着用して（肌に直接着用することに限定されないがここでは肌に直接着用して）カッターシャツ等を着用して、必要に応じてアウターであるスーツの上着等を着用して通勤着に着替えて出勤する。
【００２２】
ビジネスマンの通勤時の運動として想定している、このような通勤着のままで出勤時に勤務先の最寄り駅の手前駅から一駅分歩く等の運動をすると汗をかくが、このアンダーシャツ１００を構成する生地の裏面（肌側である内側）に吸水機能が付加されていると、かいた汗はこのアンダーシャツ１００の生地に吸収される。また、このアンダーシャツ１００を構成する生地の表面および裏面の少なくとも一面（たとえば少なくともカッターシャツ等側の裏面（肌側である内側））に撥水機能が付加されていると、かいた汗はこのアンダーシャツ１００に設けられた保水層に吸収される。いずれの場合であってもカッターシャツ等への汗染みを防止することできるために、カッターシャツ等が汗染み（汗で濡れる）で汚れることを防止できる。
【００２３】
勤務先に到着すると、（アウターであるスーツの上着等を着用している場合にはその上着は脱いでも脱がなくても構わないがここでは脱ぐものとする）カッターシャツ等は脱がないで、カッターシャツ等の襟口から手で連結機構１５０の上端から２０ｃｍ以内の範囲を操作（強く引っ張る等の操作）する。このとき、身頃部１１０を左身頃１１０Ｌ（および左袖１２０Ｌ）と右身頃１１０Ｒ（および右袖１２０Ｒ）との左右に接合および分離可能な連結機構１５０は、前身頃１１０Ｆおよび後身頃１１０Ｂにそれぞれ備えられているために、腹側および背中側において連結機構１５０の上端から２０ｃｍ以内の範囲を操作することになる。このように操作すると、図１（Ｄ）の白抜き矢示に示すように、左身頃１１０Ｌ（および左袖１２０Ｌ）と右身頃１１０Ｒ（および右袖１２０Ｒ）との左右に接合されていた身頃部１１０が左右に分離される。
【００２４】
そして、このように身頃部１１０が左右に分離した後に、カッターシャツ等の左袖口から右手でこのアンダーシャツ１００の左袖１２０Ｌの袖口を引っ張って、左身頃１１０Ｌ（および左袖１２０Ｌ）をカッターシャツ等の左袖口からカッターシャツ等の外部へ抜く。すなわち、カッターシャツ等を脱ぐことなくこのアンダーシャツ１００の左身頃１１０Ｌ（および左袖１２０Ｌ）はカッターシャツ等の左袖の内部（内筒）を通過してカッターシャツ等の外部へ離脱される。
【００２５】
同じように、カッターシャツ等の右袖口から左手でこのアンダーシャツ１００の右袖１２０Ｒの袖口を引っ張って、右身頃１１０Ｒ（および右袖１２０Ｒ）をカッターシャツ等の右袖口からカッターシャツ等の外部へ抜く。すなわち、カッターシャツ等を脱ぐことなくこのアンダーシャツ１００の右身頃１１０Ｒ（および右袖１２０Ｒ）はカッターシャツ等の右袖の内部（内筒）を通過してカッターシャツ等の外部へ離脱される。
【００２６】
このように左身頃１１０Ｌ（および左袖１２０Ｌ）と右身頃１１０Ｒ（および右袖１２０Ｒ）とを別々にカッターシャツ等の袖部の内部（内筒）を通過してカッターシャツ等の外部へカッターシャツ等の袖口から離脱させる場合において、このアンダーシャツ１００を構成する生地の伸縮性が大きいとカッターシャツ等の袖口からこのアンダーシャツ１００の袖部を引っ張っても生地が伸びるだけで袖部の内部（内筒）を通過することが難しくカッターシャツ等の外部へこのアンダーシャツ１００を離脱させることが難しい場合には、このアンダーシャツ１００の袖部に伸縮性が大きくない（伸びにくい）非伸張部１２２を設けることも好ましい。なお、この非伸張部１２２は、ビジネスマンの通勤時の運動を妨げないように設けられることが好ましい。このように非伸張部１２２があると、カッターシャツ等の袖口からこのアンダーシャツ１００の袖部を引っ張っても非伸張部１２２が伸びにくいのでカッターシャツ等の袖部の内部（内筒）を通過してカッターシャツ等の外部へこのアンダーシャツ１００を離脱させやすくなる。
【００２７】
なお、このアンダーシャツ１００は、このように身頃部１１０を左右に分離して脱ぐことができるために、腕の曲げ伸ばしを過度に必要としない。このため、身体的事情（身体機能の一部に障害を生じていて機能しない等の事情）または狭い空間における着替え等において腕の曲げ伸ばし等が困難な場合でもこのアンダーシャツ１００を容易に脱ぐことができる。
【００２８】
以上のようにして、本実施の形態に係るアンダーシャツによると、少なくとも身頃部および左右袖部から形成される袖付き衣類に関し、袖があっても、上着を脱がないでもまたは腕の曲げ伸ばしを過度に必要としないでも、脱ぎやすい袖付き衣類の一例であるアンダーシャツを提供することができる。
［アンダーシャツの変形例］
以下において、図２を参照して、本実施の形態の変形例に係るアンダーシャツ２００について説明する。なお、このアンダーシャツ２００と上述したアンダーシャツ１００とは、後身頃において連結機構１５０が設けられている位置のみ異なる。それ以外の構造であってアンダーシャツ１００と同じ構造についてのアンダーシャツ２００についての説明は、上述した説明と重複するために、ここでは繰り返して説明しない。また、図２（Ａ）は図１（Ａ）に、図２（Ｂ）は図１（Ｂ）に、図２（Ｃ）は図１（Ｃ）に、図２（Ｄ）は図１（Ｄ）に、それぞれ対応する。また、これらの図面に符号を付していないが、前身頃１１０Ｆ、後身頃２１０Ｂ、左身頃１１０Ｌおよび右身頃１１０Ｒ（後身頃２１０Ｂ以外はアンダーシャツ１００と同じ）とする。また、アンダーシャツ２００において、アンダーシャツ１００の身頃部１１０に対応する身頃部は身頃部２１０とする。
【００２９】
図２（Ａ）〜図２（Ｄ）に示すように、このアンダーシャツ２００は、
・前身頃１１０Ｆ（左側前身頃１１０ＬＦおよび右側前身頃１１０ＲＦ）と、
・後身頃２１０Ｂ（左側後身頃２１０ＬＢおよび右側後身頃２１０ＲＢ）と、
・左身頃１１０Ｌ（左側前身頃１１０ＬＦおよび左側後身頃２１０ＬＢ）に接続（縫合等により接合）された左袖１２０Ｌと、
・右身頃１１０Ｒ（右側前身頃１１０ＲＦおよび右側後身頃２１０ＲＢ）に接続（縫合等により接合）された右袖１２０Ｒと、で形成される。
【００３０】
そして、このアンダーシャツ２００がアンダーシャツ１００と異なる点は、後身頃２１０Ｂの連結機構１５０が、アンダーシャツ１００においては左右略対称位置に設けられていたが、左右対称位置から左右いずれかの方向にずれて（ここでは背中側から見て左の方向にずれて）設けられている点である。
このように後身頃２１０Ｂに左右対称位置から左右いずれかの方向にずらせて連結機構１５０を設けると、カッターシャツ等の襟口から手で連結機構１５０の上端から２０ｃｍ以内の範囲を操作する場合に、背中側の連結機構１５０に手が届きやすい。ここで、利き腕別に商品展開して届きやすい方向に連結機構１５０をずらして設けることも好ましい。なお、腹側の前身頃１１０Ｆの連結機構１５０も左右対称位置から左右いずれかの方向にずれて設けるようにしても構わない。
【００３１】
このアンダーシャツ２００のように、腹側の前身頃１１０Ｆの連結機構１５０を左右略対称位置に、背中側の後身頃１１０Ｂの連結機構１５０を左右対称位置から左右いずれかの方向にずれた位置にそれぞれ設けると、アンダーシャツ２００が左右に分離した状態において前身頃連結機構１５０Ｆと後身頃連結機構１５０Ｂとを区別しやすく（生地量が左側後身頃２１０ＬＢ＜左側前身頃１１０ＬＦ≒右側前身頃１１０ＲＦ＜右側後身頃２１０ＲＢ）、左右に分離した状態から左右に接合された状態へアンダーシャツ２００を切り替えし易い点で好ましい。
【００３２】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３３】
本発明は、少なくとも身頃部および左右袖部から形成される袖付き衣類に好適であり、袖があっても、上着を脱がないでもまたは腕の曲げ伸ばしを過度に必要としないでも、脱ぎやすい点で特に好適である。
【符号の説明】
【００３４】
１００、２００  アンダーシャツ
１１０  身頃部
１１０Ｆ  前身頃
１１０Ｂ、２１０Ｂ  後身頃
１１０Ｌ  左身頃
１１０Ｒ  右身頃
１１０ＬＦ  左側前身頃
１１０ＲＦ  右側前身頃
１１０ＬＢ、２１０ＬＢ  左側後身頃
１１０ＲＢ、２１０ＲＢ  右側後身頃
１２０  左右袖部
１２０Ｌ  左袖
１２０Ｒ  右袖
１５０  連結機構
１５０Ｆ  前身頃連結機構
１５０Ｂ  後身頃連結機構
【図１】
2019194374.tif 000003
【図２】
2019194374.tif 000004